(57)【要約】【課題】スポットライトによる光の照射可能範囲を拡大することのできるスポットライト用アームを提供することで，このアームを備えたスポットライトを天井埋込型とすることで，天井板に形成する開口の小型化を可能とする。【解決手段】光源であるランプを備えたスポットライト本体３と，前記スポットライト本体３を先端部に保持するアーム２を備えたスポットライト１において，前記アーム２を，アーム本体２１と，前記アーム本体２１の先端に擺動可能に一端２２ａを連結された連結杆２２によって形成すると共に，前記連結杆２２の他端２２ｂに前記スポットライト本体３を擺動可能に保持する。上記構成により，連結杆２２の擺動と，スポットライト本体３の擺動との組合せにより，このアーム２を備えたスポットライト１の照射可能範囲を大幅に拡大することが可能である。【選択図】図１
2010218919.tif 000002
【特許請求の範囲】
【請求項１】
アーム本体と，前記アーム本体の先端に擺動可能に一端を連結された連結杆によって構成され，前記連結杆の他端に，光源であるランプを備えたスポットライト本体を擺動可能に保持することを特徴とするスポットライト用アーム。
【請求項２】
光源であるランプを備えたスポットライト本体と，前記スポットライト本体を先端部に保持するアームを備えたスポットライトにおいて，
前記アームを，アーム本体と，前記アーム本体の先端に擺動可能に一端を連結された連結杆によって形成すると共に，前記連結杆の他端に前記スポットライト本体を擺動可能に保持したことを特徴とするスポットライト。
【請求項３】
アームの先端部に光源であるランプを備えたスポットライト本体を保持したスポットライトと，天井板に形成された開口に向かって開口する箱型形状を成し，前記スポットライトを収容する室を天井裏に画成する収容箱の組合せによって構成された天井埋込型スポットライトユニットにおいて，
前記スポットライトの前記アームを，アーム本体と，前記アーム本体の先端に擺動可能に一端を連結された連結杆によって構成し，前記連結杆の他端に前記スポットライト本体を擺動可能に保持すると共に，
前記アーム本体の基端部を前記収容箱の天板に回動可能に取り付けたことを特徴とする天井埋込型スポットライトユニット。
【請求項４】
前記収容箱の天板に，前記アーム本体の基端部を前記収容箱の長さ方向にスライド可能に取り付けたことを特徴とする請求項３記載の天井埋込型スポットライトユニット。
【発明の詳細な説明】
【技術分野】
【０００１】
本発明は，スポットライト用アーム，スポットライト，及び天井埋込型スポットライトユニットに関し，より詳細には，光源を備えたスポットライト本体を先端部に保持するスポットライト用アームにおいて，スポットライトの照射可能範囲を拡大することのできるスポットライト用アーム，前記スポットライト用アームを備えたスポットライト，及び，前記スポットライトと，該スポットライトを天井に形成された開口内に埋込設置する収容箱の組合せから成る天井埋込型スポットライトユニットに関する。
【背景技術】
【０００２】
各種の展示物や商品等のライトアップ，壁面に対する光の照射による間接照明，その他の各種用途において，スポットライトは展示場，店舗，ホテル等の宿泊施設等において使用される他，一般家庭用の照明として使用される場面も増えている。
【０００３】
このようなスポットライトは，一般に外殻を成すボディー内に光源であるランプや反射鏡を収容し，このボディーの前面開口を透光性を有するガラス板等の透明板で覆うことにより形成されたスポットライト本体と，このスポットライト本体を先端部に擺動可能に保持するアームを備え，このアームの基端部を壁面や天井板上の所望の位置に例えばネジ止め等によって取り付けると共に，前記アームの先端に保持されたスポットライト本体を擺動させて光軸を所定の方向に向けることにより照射方向を調整することができるように構成されている。
【０００４】
このようなスポットライトにおいて，アームの基端部を直接壁面や天井等に取り付ける場合，壁面や天井よりスポットライトが室内空間に突設された状態となり，スポットライトの存在によって室内の景観やデザイン性が損なわれる場合がある。
【０００５】
そこで，このような室内の景観やデザイン性を向上させるために，天井板に形成された開口内にスポットライトを埋め込み設置することにより，スポットライトが室内側より直接看者の目に触れることがないように設置することも提案されている。
【０００６】
このように，スポットライトを天井内に埋め込んだ状態で設置するために，一例として図１４に示すように，天井裏に天井板１７０に形成した開口１７１に向けて下向きに開口する収容箱１５０を配置し，この収容箱１５０の天板に，スポットライト１００に設けたアーム１２０の基端部１２２を取り付けることにより，前記スポットライト１００を収容箱１５０内の空間に収容可能としたものがある。
【０００７】
なお，このようなスポットライトと前記収容箱との組合せによりスポットライトを天井に埋め込み設置可能としたものを，本明細書において「天井埋込型スポットライトユニット」という。
【０００８】
ここで，上記のように構成された天井埋込型のスポットライトユニットにおいて，スポットライト本体１３０からの照射光は，天井板１７０に形成された開口１７１，又はこれを縁取る収容箱１５０の開口を介して天井裏側から室内側に照射されるものであり，その結果，スポットライト１００による光の照射範囲がこの収容箱１５０の開口の大きさによって制約されることに鑑み，前記収容箱１５０の天板に対してアーム１２０の基端部１２２を水平方向に回動可能に取り付けると共に，このアーム１２０を垂線に対して所定の角度傾斜させることにより，基端部１２２を中心としてアーム１２０を回動させることにより，スポットライト１００による照射方向を可変とすることも提案されている（特許文献１参照）。
【先行技術文献】
【特許文献】
【０００９】
【特許文献１】特開２００５−２６１００号公報
【発明の概要】
【発明が解決しようとする課題】
【００１０】
前述のように，天井裏に配置された収容箱１５０内にスポットライト１００を収容配置する前述の天井埋込型のスポットライトユニットにおいて，収容箱１５０内に収容されたスポットライト１００の光は，前述のように収容箱１５０の開口を介して室内に照射されることから，収容箱１５０の開口サイズが小さくなれば，その分，光の照射範囲は狭いものとなる。
【００１１】
このような照射範囲の狭さを補おうとすれば，天井埋込型スポットライトユニットの設置数を増やす必要があり，照明器具の設置のための工期や費用が増加するばかりでなく，天井板に多数の開孔が形成される結果，室内側から見た天井部分の見栄えが悪いものとなる。
【００１２】
一方，天井板に形成する開口のサイズを大きくし，これに伴い収容箱の開口サイズを大きくとれば，収容箱内に収容されたスポットライトによる光の照射範囲もこれを拡大することができる。
【００１３】
しかし，天井板に形成した大きな開口の存在は，室内から見た天井部分の見栄えを悪くするだけでなく，天井に形成する開口を大きくすれば，折角天井裏に隠して設置したスポットライトが，この開口を介して室内側からの視界に入ることとなる。
【００１４】
このような問題に対し，前掲の特許文献１に記載の発明にあっては，スポットライト１００のアーム１２０の基端部１２２を，収容箱１５０の天板に水平方向に回動可能に取り付けると共に，アーム１２０を垂線に対して傾斜させたことにより，図１４に示すように，基端部１２２を支点としたアーム１２０の回動と，アーム１２０の先端部１２１に保持されたスポットライト本体１３０の擺動によって，スポットライト１００の照射可能範囲を拡大することができるものとなっている。
【００１５】
しかし，上記特許文献１に記載の構成において，例えばアーム１２０の回動位置が平面視において図１６（Ａ）に示す位置にあるとき，このスポットライト１００の照射方向は，スポットライト本体１３０の擺動によって天井板に形成した開口の長さ方向（図中上下方向）に傾けることができたとしても，開口の幅方向（図中の左右方向）に傾けることができない。
【００１６】
そこで，例えば図１６（Ａ）中に矢印Ａで示した方向に光軸を傾斜させたい場合には，先ず，アーム１２０を図１６（Ｂ）に示す位置に回動させ，この状態でスポットライト本体１３０を図１４に示すように傾けることとなるが，傾斜したアーム１２０を備えたスポットライト１００との組合せにおいて，収容箱１５０の開口幅を狭く形成した場合，図１６（Ｂ）に示すアーム１２０の回動位置において，スポットライト本体１３０は，天井板１７０の真上に配置されることとなる（図１５参照）。
【００１７】
その結果，必要とする光軸の傾きが図１４に示すように比較的大きな角度（一例として垂線に対して４５°）であれば，開口１７１を介して効率良く光の照射を行うことができるが，垂線に対する光軸の傾きがより鋭角的になればなる程，図１５に示すようにスポットライト１００からの照射光は，その多くが収容箱１５０の開口縁によって遮られてしまうこととなるために，図１６中に示す矢印Ａ方向に光軸を僅かに傾けたい場合，図１４及び図１５に示す構造の天井埋込型スポットライトユニットではこれに対応することができない。
【００１８】
また，特許文献１に記載の構成にあっては，光の照射方向を変更する際に，スポットライト１００を前記アーム１２０の基端部を中心として回動させる必要があるが，前述のように特許文献１に記載の構成では，アームを傾斜させた構成となっているために，スポットライト本体１３０の回転軌道が比較的大きく，その結果，このようなスポットライト１００を収容する前述の収容箱１５０内の空間が大きくなり，天井裏に設置する収容箱１５０が大型化する。
【００１９】
そこで本発明は，上記従来技術における欠点を解消するためになされたものであり，限られた空間内におけるアームの変形によって，スポットライトによる光の照射可能範囲を拡大することのできるスポットライト用アーム，及びこのスポットライト用アームを備えたスポットライトを提供すること，更に，前記スポットライト用アームを備えたスポットライトと，収容箱の組み合わせにより，天井板に形成する開口を比較的小さなものとし，かつ，前記収容箱の大型化を伴うことなく，収容箱内に収容されたスポットライトの室内に対する照射可能範囲を拡大可能とすることができる天井埋込型スポットライトユニットを提供することを目的とする。
【課題を解決するための手段】
【００２０】
上記目的を達成するために，本発明のスポットライト用アーム２は，アーム本体２１と，前記アーム本体２１の先端に擺動可能に一端２２ａを連結された連結杆２２によって構成され，前記連結杆２２の他端２２ｂに，光源であるランプを備えたスポットライト本体３を擺動可能に保持することを特徴とする（請求項１）。
【００２１】
また，本発明のスポットライト１は，光源であるランプを備えたスポットライト本体３と，前記スポットライト本体３を先端部に保持するアーム２を備えたスポットライト１において，
前記アーム２を，アーム本体２１と，前記アーム本体２１の先端に擺動可能に一端２２ａを連結された連結杆２２によって形成すると共に，前記連結杆２２の他端２２ｂに前記スポットライト本体３を擺動可能に保持したことを特徴とする（請求項２）。
【００２２】
更に，本発明の天井埋込型スポットライトユニットは，アーム２の先端部に光源であるランプを備えたスポットライト本体３を保持したスポットライト１と，天井板７に形成された開口７１に向かって開口する箱型形状を成し，前記スポットライト１を収容する室を天井裏に画成する収容箱５の組合せによって構成されるものであり，前記同様，スポットライト１のアーム２を，アーム本体２１と，前記アーム本体２１の先端に擺動可能に一端２２ａを連結された連結杆２２によって構成し，前記連結杆２２の他端２２ｂに前記スポットライト本体３を擺動可能に保持すると共に，前記アーム本体２１の基端部（ベース部２１１）を前記収容箱５の天板に回動可能に取り付けたことを特徴とする（請求項３）。
【００２３】
前記構成の天井埋込型スポットライトユニットにおいて，好ましくは前記収容箱５の天板に，前記アーム本体２１の基端部（ベース部２１１）を前記収容箱５の長さ方向にスライド可能に取り付ける（請求項４）。
【発明の効果】
【００２４】
以上説明した本発明の構成より，本発明のスポットライト用アーム２を備えたスポットライト１，及びこのスポットライト１と収容箱５を組合せて成る天井埋込型スポットライトユニットにあっては，スポットライト用アーム２を，アーム本体２１と，このアーム本体２１の先端に一端２２ａを擺動可能に連結された連結杆２２とによって形成すると共に，前記連結杆２２の他端２２ｂにスポットライト本体を擺動可能に保持したことにより，連結杆２２の擺動によってアーム２が変形し，これによりスポットライト本体３の配置を，前記連結杆２２の回転軌道上の所望の位置に配置することができた。
【００２５】
その結果，前記連結杆２２の擺動位置の調整と，この連結杆２２の他端２２ｂに擺動可能に保持されたスポットライト本体３の擺動との組合せにより，比較的狭い空間内におけるアーム２の変形によってスポットライト本体３の光軸を，多種多様な方向に向けることができた。
【００２６】
その結果，該スポットライト用アームを備えたスポットライトの照射可能範囲を大幅に拡大することができ，また，このようなスポットライト１を天井埋込型として使用した場合には，収容箱５の開口幅を狭く形成し，また，収容箱５内の空間を狭く形成して収容箱５の小型化を図った場合であっても，スポットライト１の照射範囲を拡大することができた。
【００２７】
特に，アーム本体２１の基端部(ベース部２１１)を，収容箱５の天板に回動可能に取り付けた構成，収容箱５の長さ方向にスライド可能に取り付けた構成にあっては，連結杆２２の擺動に伴うアーム２の変形と，スポットライト本体３の擺動のみならず，アームの回動，スライドとの組合せによって，スポットライト１による照射可能範囲をより一層拡大することができた。
【図面の簡単な説明】
【００２８】
【図１】本発明のスポットライト用アームを備えたスポットライトの斜視図。
【図２】本発明のスポットライト用アームを備えたスポットライトの正面図。
【図３】本発明のスポットライト用アームを備えたスポットライトの一部分解状態を示す右側面図。
【図４】本発明のスポットライト用アームを備えたスポットライトの一部断面右側面図。
【図５】アームの変形状態の説明図。
【図６】本発明のスポットライト用アームの斜視図。
【図７】本発明のスポットライト用アームの先端部の拡大図。
【図８】本発明のスポットライト用アームの右側面図（連結杆を腕部延長上に擺動させた状態）。
【図９】本発明のスポットライト用アームの右側面図（連結杆を腕部と重なる位置に擺動させた状態）。
【図１０】本発明のスポットライト用アームの右側面図（連結杆を腕部と直交方向に擺動させた状態）。
【図１１】本発明の天井埋込型スポットライトユニットの説明図。
【図１２】本発明の天井埋込型スポットライトユニットの説明図。
【図１３】連結杆の擺動位置と光の照射範囲の変更状態の関係を示した説明図であり，（Ａ），（Ｂ）は照射角の範囲の変化を，（Ｃ），（Ｄ）は，光軸を同一傾斜角とした場合における光量乃至は照射範囲の変化の説明図である。
【図１４】従来の天井埋込型スポットライトユニットの説明図（光軸を傾斜した状態）。
【図１５】従来の天井埋込型スポットライトユニットの説明図（光軸を垂直方向とした状態）。
【図１６】従来のスポットライト用アームを備えたスポットライトの説明図であり，（Ａ）は，天井に形成した開口の長さ方向に対して光軸を傾斜させる場合の配置，（Ｂ）は，開口の長さ方向に対して直交方向に光軸を傾斜させる場合の配置。
【発明を実施するための形態】
【００２９】
次に、本発明の実施形態を添付図面を参照しながら以下に説明する。
【００３０】
〔スポットライト〕
図１〜図５中の符号１は，本発明のスポットライト用アーム２を備えたスポットライトであり，このスポットライト１は，前記スポットライト用アーム２と，このスポットライトアーム２の先端部に擺動可能に保持されたスポットライト本体３によって構成されている。
【００３１】
このスポットライト本体３は，図４に示すように，その外殻を構成するボディー３１内に，光の照射に必要な各種の構成機器を収容して形成されたものであり，図４に示す実施形態にあっては，放熱口３１１の形成されたボディー３１内に，光源であるランプ３２を取り付けるためのソケット３３，前記ソケット３３に取り付けられるランプ３２，及び前記ランプ３２によって発生した光を所定の方向に反射するミラー３４を収容し，前記ボディー３１の前面開口部を，ガラス板等の透明板を備えたフード３５によって覆うことで，前記スポットライト本体３を一体的に形成している。
【００３２】
前述のソケット３３は，このソケット３３に取り付けられたランプ３２を電源に接続するためのケーブル３６を備えていると共に，その外周に放熱フィン３７が設けられており，前記ランプ３２の点灯によって生じた熱をボディー３１に設けた放熱口３１１を介して外気と熱交換することにより放熱することができるように構成されている。
【００３３】
また，このソケット３３に取り付けられたランプ３２の先端には，図２〜４に示すように防眩キャップ３８が取り付けられており，ランプ３２によって発生した光がミラー３４によって反射されることなく直接視界に入ることによる眩しさを低減している。
【００３４】
以上のように構成されたスポットライト本体３には，このスポットライト本体３を後述するスポットライト用アーム２の先端に擺動可能に保持するための構造が設けられており，本実施形態にあっては，スポットライト本体３のボディー３１の幅方向における対称位置に，図１に示すように舌片状のステー３１２を設け，このステー３１２に形成したピン孔（図示せず）を介してスポットライト用アーム２の先端に取り付け可能としている。
【００３５】
もっとも，スポットライト本体３のアーム２先端に対する取り付けは，アーム２の先端にスポットライト本体３を擺動可能に保持し得るものであれば如何なる構造によって取り付けるものとしても良く，図示の実施形態に限定されない。
【００３６】
また，スポットライト本体３の構成についても，光源であるランプ３２によって発生した光を所定の方向に照射し得るものであれば既知の各種構造のものも適用可能であり，例えば，スポットライト本体３を全体として角筒状に形成し，又は使用するランプの種類によっては前面を覆う透明板を省略する等しても良く，各種構造の変更が可能であり，図示の実施形態に限定されない。
【００３７】
以上のように構成されたスポットライト本体３を保持する本発明のスポットライト用アーム２は，アーム本体２１と，前記アーム本体２１の先端に一端２２ａを擺動可能に連結された連結杆２２を備えており，前記連結杆２２の他端２２ｂに前述したスポットライト本体３を擺動可能に取り付けることができるように構成されている（図６〜１０参照）。
【００３８】
図示の実施形態において，このアーム本体２１は，図１，２及び図６に示すように帯状の金属板の長さ方向における中央側の二箇所を曲折して図２に示すように正面視において略下向きコ字状に形成されており，中央部に形成された，アーム本体２１の基端部となるベース部２１１と，前記ベース部２１１の両端にそれぞれ連続して形成された２本の腕部２１２を備えた形状に形成されている。
【００３９】
アーム本体２１の各腕部２１２は，図３に示すように側面視において，後述する嵌合部材２３を中心としたアーム２の回転中心Ｏに対してその中心が重なるように形成されており，従来技術として説明した図１４及び図１５に示したアームのような傾斜は，腕部２１２に設けられていない。
【００４０】
前述のベース部２１１には，前記腕部２１２の突出側とは反対側の面（図２中の上面）に，後述する収容箱５の天板に設けられたガイドレール６にこのベース部２１１を回転可能で，かつ，前記ガイドレール６の長さ方向に移動可能に取り付けるための嵌合部材２３が取り付けられており，この嵌合部材２３と，前記ガイドレール６との組合せによって，アーム２を回転可能となす回転機構，及びアーム２を収容箱５の長さ方向の所定の位置に移動可能と成すスライド機構がそれぞれ構成されている。
【００４１】
後述するように，断面Ｃ字状に形成されたガイドレール６を使用する本実施形態の構成にあっては，図２に示すように円周方向に溝２３１が形成された円柱状を成し，前記溝２３１の形成部分の上方にフランジ部２３２が形成された嵌合部材２３を設け，前記嵌合部材２３の前記フランジ部２３２を前記ガイドレール６に形成された嵌合溝６１内に嵌合することにより（図１１参照），前記ガイドレール６に対しアーム２を回転可能で，かつ，スライド可能な状態に取り付け可能としている。
【００４２】
この嵌合部材２３には，図２中の円内に示す要部拡大断面図のように，その中心を貫通する内周に雌ネジが形成されたネジ孔２３３が形成されていると共に，このネジ孔の形成位置に対応して，アーム本体２１の前記ベース部２１１に，前記ベース部２１１の肉厚を貫通する貫通孔２１１ａを形成し（図６参照），前記嵌合部材２３の取り付け側とは反対面側より前記ベース部２１１の貫通孔２１１ａに固定ボルト２４の先端を挿入して前記嵌合部材２３のネジ孔２３３に螺合し，その先端を前記嵌合部材２３の上端より突設可能に構成している。
【００４３】
このように構成したことにより，後述するガイドレール６に前記嵌合部材２３のフランジ部２３２を嵌合させた状態で前記固定用ボルト２４を締め込んで行き，その先端を前記嵌合部材２３の上端より突出させると，このボルト２４の先端が，ガイドレール６の嵌合溝６１の内壁に圧接され，これによりガイドレール６の所定の位置にアーム２を固定することができるように構成されている。
【００４４】
なお，このボルト２４の後端には，図２に示すように例えばハンドル２５を取り付け，このハンドル２５の回転操作によって前記ボルト２４の螺合を行うことにより，工具等を使用することなくガイドレール６上の所定位置に前記アーム２を固定することができるように構成しても良い。
【００４５】
ベース部２１１の両端に連続して形成された前述の腕部２１２，２１２は，その先端部間を保持対象とするスポットライト本体３の幅に対して若干幅広に形成されており，このように形成された腕部２１２，２１２の先端間に連結杆２２，２２を介してスポットライト本体３が取り付けられる（図２参照）。
【００４６】
この腕部２１２，２１２は，ベース部２１１との連結側端部から，前記先端に至る迄の全長に亘り，２本の腕部２１２，２１２を平行の配置とすることもできるが，図示の実施形態にあっては，両腕部２１２，２１２はベース部２１１との連結側の端部より先端側（図２，図６中の下側）に向かう所定の長さの範囲で両腕部間の間隔を徐々に拡げる形状を有すると共に，その後，両腕部２１２，２１２の間隔を一定幅で平行となるように形成して，図２に示すように正面視において前記ベース部２１１と腕部２１２，２１２とによって全体として略台形状となるように形成した。
【００４７】
このように形成されたアーム本体２１の腕部２１２，２１２の先端には，それぞれ前述した連結杆２２，２２の一端２２ａが擺動可能に連結されており，この連結杆２２，２２の他端２２ｂに前述したスポットライト本体３のボディー３１に設けたステー３１２（図１参照）を連結可能としている。
【００４８】
このスポットライト本体３と前記アーム本体２１の先端間を連結する前述の連結杆２２，２２は，図２及び図７に示す例において金属板をＺ字乃至はＳ字状に曲折させて，前記アーム本体２１の先端に連結される平坦部と，スポットライト本体３のボディー３１に設けたステー３１２に取り付けられる平坦部，及び両平坦部間を連結する傾斜部を備えたクランク状に形成すると共に，この連結杆２２の一端２２ａ側における平坦部を，他方の腕部との対向面と面接触させた状態で各腕部２１２，２１２の先端にピン２６によって回転可能に支承し，この連結杆２２，２２の他端２２ｂに，スポットライト本体３のボディー３１に設けたステー３１２をピン２７によって回転可能に支承することにより，連結杆２２，２２の前記クランク形状により，スポットライト本体３を回転可能に取り付けるピン２７の頭部等が，連結杆２２の回転に際しアーム本体２１の腕部２１２と干渉することが防止されている。
【００４９】
なお，この連結杆２２は，必ずしもこれを図示の実施形態に示したようなクランク状に形成する必要はなく，例えば平坦な板状のものを使用するものとしても良い。
【００５０】
なお，連結杆２２をこのような平坦な板状として形成した場合，連結杆２２の回転時における連結杆２２やピン２７頭部と腕部２１２との干渉を回避すべく，連結杆２２の一端２２ａと腕部２１２の先端間に例えばスペーサを配置した状態で両者をピン２６により固定する等しても良く，図示の実施形態に限定されず各種の変形が可能である。
【００５１】
また，図１，図２及び図６では，前述のようにアーム本体２１を略下向きコ字状に形成して２本の腕部２１２，２１２を設け，この２本の腕部２１２，２１２のそれぞれの先端に前記連結杆２２を介してスポットライト本体３を擺動可能に取り付けるものとして説明したが，この構成に代え，例えば図２に示すアーム本体の腕部のうちの一方を設けることなく省略し，アーム本体２１をベース部と一方の腕部２１２のみによって形成された略逆Ｌ字状に形成し，この腕部２１２の先端に連結杆２２を介してスポットライト本体３を擺動可能に固定して，スポットライト本体３を片持ちとする構造としても良く，その構成は，図示の例に限定されない。
【００５２】
〔天井埋込型スポットライトユニット〕
以上のように構成されたスポットライト用アーム２を備えたスポットライト１は，前記アーム本体２１と連結杆２２の組合せによるアームの変形によって，このスポットライト用アーム２を備えたスポットライト１を単独で使用した場合であっても，このスポットライト１による光の照射可能範囲を拡大することができ，例えば前記アーム本体２１のベース部２１１に設けた前記嵌合部材２３の形成を省略し，このベース部２１１を壁や天井等の壁面等に直接取り付けて使用しても良く，又は，天井に取り付けたガイドレール６や，天井から所定の位置に吊り下げ配置されたガイドレール６に，アーム本体２１のベース部２１１に設けた前記嵌合部２３を嵌合して取り付けることにより使用するものとしても良い（図示せず）。
【００５３】
もっとも，前記構成のスポットライト用アーム２を備えたスポットライト１は，これを天井埋込型のものとして使用することにより，天井板７に形成された開口７１を介して室内側に光を照射するものであるに拘わらず，光の照射方向の変更等に際し，天井板７に形成した開口７１のサイズ等による制約を受け難いものとすることができる。
【００５４】
このように，スポットライト１を天井埋込型として使用する場合，前述したスポットライト１の他に，このスポットライト１を収容する収容箱５を用意し，スポットライト１の取り付け位置における天井板７に開口７１を形成すると共に，この開口７１の形成位置における天井裏に前述の収容箱５を設置し，この収容箱５内に前記スポットライト１を取り付けることで，前記構成のスポットライト１を天井に埋め込んだ状態で設置可能としている。
【００５５】
このように，天井裏にスポットライト１の収容空間を形成する前述の収容箱５は，天井板７に形成した前述の開口７１に向かって下向きに開口する箱状を成すもので，一例として，図１１及び図１２に示すように天井に形成された開口７１の周縁に取り付けられる枠体５１と，前記枠体５１の上部を覆う断面下向きコ字状のフード５２，及び，前記枠体５１を天井裏の所定の位置に固定するブラケット５３を備えている。
【００５６】
この収容箱５は，天井板７の施工（取り付け）前に，天井裏となる位置に予め設置しておく。
【００５７】
収容箱５に設けた前述の枠体５１は，天井板７に形成すべき開口７１のサイズに対応した所定の寸法に切断された断面略Ｌ字状に形成された金属製の長尺部材からなり，収容箱５に設けられた前記枠体５１に沿って天井板７の施工（取り付け）を行うことにより，施工された天井には，開口縁の長さ方向の少なくとも二辺が前記枠体５１によって画成された開口７１が形成される。
【００５８】
図示の実施形態において，この枠体５１は，開口７１縁部から所定の範囲における天井板７上に配置される水平部５１１と，前記水平部５１１に対して直交方向上方に立ち上がる垂直部５１２を備えている。
【００５９】
この水平部５１１には，天井板７の開口７１縁を覆う屈曲部５１１ａが形成されていると共に，前記屈曲部５１１ａより開口７１の内周方向に水平方向に突出した部分によって，収容箱５の開口縁が形成されている。
【００６０】
このようにして，天井板７に形成された開口７１の内周側に突出した部分の水平部５１１には，突出方向先端側の端部より開口の外周側に向かって上向きに傾斜した傾斜部５１１ｂが設けられており，この傾斜部５１１ｂの表面に鋸歯形状の多数の凹凸を形成し，この部分に当たった光をカットさせることで，開口縁が反射光によって光って見えることによる美観の低下を防止することができるように構成されている。
【００６１】
この枠体５１の前記垂直部５１２には，前記水平部５１１の突設側とは反対側の面において，突出方向に幅を拡げる楔型の嵌合突起５１２ａが，高さ方向に所定間隔毎に形成されており，前記嵌合突起５１２ａ間に，前記嵌合突起５１２ａの断面形状を水平方向に反対させた形状の嵌合凹部が形成されている（図１１中の拡大図参照）。
【００６２】
この枠体５１の天井裏に対する取り付けは，断面逆Ｌ字状に形成されたブラケット５３の垂直部５３２に，前記枠体５１の垂直部５１２に設けた前述の嵌合突起５１２ａに対応する形状の嵌合突起５３２ａを形成し，このブラケット５３の垂直部５３２に設けた嵌合突起５３２ａ間に前記枠体５１の垂直部５１２に設けた嵌合突起５１２ａを嵌合すると共に，枠体５１の垂直部５１２に設けた嵌合突起５１２ａ間の間隔に前記ブラケット５３の垂直部５３２に設けた嵌合突起５３２ａを嵌合して両者を連結し，この状態でブラケット５３を天井裏の所定の位置に取り付けることにより，枠体５１を天井裏の所定の位置に取り付けることができると共に，両突起５１２ａ，５３２ａの係合位置を上下方向に変更することと，前記ブラケット５３の取り付け位置を調整することにより，天井裏における前記枠体５１の高さ方向における位置調整とを行うことができ，室内側における天井板７の表面と，枠体５１の前記開口７１内に突出した部分の下面とが，同一平面上に配置されるように調整されている。
【００６３】
この枠体５１の垂直部５１２であって，前記嵌合突起５１２ａの形成側とは反対側の面には，前述したように下向きに開口するフード５２が取り付けられ，これにより，前記フード５２によって枠体５１上部が覆われて，下向きに開口する収容箱５が形成されている。
【００６４】
該収容箱５の天板を成す前記フード５２の内壁（天板）には，前記収容箱５の長さ方向を長さ方向とするガイドレール６が取り付けられており，このガイドレール６に対して前述したスポットライト１のアーム２に設けた嵌合部材２３を嵌合することにより，収容箱５内に前述したスポットライト１を取り付けることができるように構成されている。
【００６５】
このガイドレールは，図１１中に拡大図で示すように下向きに開口する断面略Ｃ字状に形成されており，これにより内部に前記嵌合部材２３のフランジ部２３２が嵌合される嵌合溝６１が形成されており，この嵌合溝６１の開口縁６１ａが，前記嵌合部材２３の周方向に形成された溝２３１内に嵌合するように，前記嵌合部材２３のフランジ部２３２を前記嵌合溝６１内に挿入することで，嵌合部材２３を下方に抜き取ることができなくなると共に，前記ガイドレール６の長さ方向に前記嵌合部材２３をスライドさせることができ，かつ，前記嵌合部材２３，従ってアーム２及びこれに取り付けられたスポットライト本体３を嵌合部材２３の中心を中心として回動させることができるよう構成されている。
【００６６】
なお，図１１，１２に示す実施形態において，図１１において収容箱５の高さを比較的低く，図１２において収容箱５の高さを比較的高く形成しているが，例えば天井裏の高さに制限がある場合や，スポットライト１からの光を開口縁で遮ることなく照射したい場合，更には，スポットライトの一部を開口７１より露出させる等して使用したい場合には，図１１に示すように比較的高さの低い防音箱５を使用してスポットライト本体３を開口７１に近付けて配置するものとしても良く，また，内部に収容されるスポットライト１の存在を室内側より認識され難くしたい場合等では，図１２に示すように比較的高さの高い収容箱５を使用して，スポットライト本体３を開口７１より遠ざける等，用途や目的等によって収容箱５の高さを変更することもできる。
【００６７】
〔作用〕
以上のように構成された本発明のスポットライト用アーム２は，アーム本体２１の先端とスポットライト本体３間を前述のように連結杆２２によって連結していることから，図５及び図８〜１０に示すように連結杆２２の他端２２ｂの擺動範囲である円軌道上のいずれの位置に対してもスポットライト本体３の軸止位置を移動させることが可能であり，かつ，この連結杆２２の他端２２ｂの擺動位置においてスポットライト本体３を擺動させることで，前記円軌道上の各位置から，それぞれ３６０°全方向にスポットライト本体３の照射方向を向けることが可能である。
【００６８】
特に，アーム本体２１の基端部（ベース部２１１）に設けた嵌合部材２３を，ガイドレール６に対して回動可能に嵌合する場合には，前記嵌合部材２３を中心としてアーム２を回動させることで，平面視における３６０°全方向に照射方向が可変であり，これらの組合せによって，スポットライト１の照射方向を多種多様な方向に変更することが可能である。
【００６９】
このように，本発明のスポットライト用アーム２は，アーム本体２１と連結杆２２との連結部を介してアームが変形すると共に，連結杆２２の他端２２ｂに保持されたスポットライト本体３が擺動可能であること，更には，前記アーム２をガイドレール６に回転可能に取り付けたことにより，このようなスポットライト用アーム２を備えたスポットライト１を，収容箱５と組合せて天井埋込型のスポットライトユニットとして構成した場合，収容箱５内の空間を拡大することなく，しかも，開口７１のサイズを可及的に小さなものとしながら，スポットライト１による照射可能範囲を拡大することが可能である。
【００７０】
ここで，図１３（Ａ）〜図１３（Ｄ）は，側面視における本発明のスポットライト用アーム２と収容箱５（特に開口）との位置関係を模式的に示した説明図であり，連結杆２２がアーム本体２１の腕部と重なる位置に配置された図１３（Ａ）に示す状態において，スポットライト本体３を擺動させることにより可変となる光の照射範囲は図中の角度θ1である。
【００７１】
これに対し，照射範囲を更に広角のθ2とする場合には，前記連結杆２２をアーム本体２１の延長上に配置した図１３（Ｂ）に示す状態でスポットライト本体３を擺動させることにより，スポットライトの照射角を，図１３（Ａ）の位置における照射範囲に対して広角にすることができ，しかもこのようなアーム２の変形に際し，収容箱内に広い空間を必要としない。
【００７２】
また，スポットライト本体３を傾斜させることにより照射方向を傾ける際，同じ傾斜角で光を照射する場合であっても，図１３（Ｃ），図１３（Ｄ）に示すように，連結杆２２の円軌道上におけるいずれの位置にスポットライト本体３を配置するかにより，開口縁との相対的な位置関係を調整することができ，これにより同じ傾斜角で照射される光であっても，開口縁によって遮られることなく照射し〔図１３（Ｃ）〕，又は必要に応じて開口縁によって照射光の一部を遮ることにより〔図１３（Ｄ）〕，明るさ，照射範囲等を調整した状態で対象をライトアップすることができる等，従来の天井埋込型のスポットライトユニットによっては達成し得ない照明による各種の演出等も可能となる。
【符号の説明】
【００７３】
１  スポットライト
２  スポットライト用アーム
２１  アーム本体
２１１  ベース部
２１１ａ  開孔
２１２  腕部
２２  連結杆
２２ａ  一端
２２ｂ  他端
２３  嵌合部材
２３１  溝
２３２  フランジ部
２３３  ネジ孔
２４  固定ボルト
２５  ハンドル
２６，２７  ピン
３  スポットライト本体
３１  ボディー
３１１  放熱口
３１２  ステー
３２  ランプ
３３  ソケット
３４  ミラー
３５  フード
３６  ケーブル
３７  放熱フィン
３８  防眩キャップ
５  収容箱
５１  枠体
５１１  水平部
５１１ａ  屈曲部
５１１ｂ  傾斜部
５１２  垂直部
５１２ａ  嵌合突起
５２  フード
５３  ブラケット
５３２  垂直部
５３２ａ  嵌合突起
６  ガイドレール
６１  嵌合溝
６１ａ  開口縁
７  天井板
７１  開口
１００  スポットライト
１２０  スポットライト用アーム
１２１  先端部
１２２  基端部
１３０  スポットライト本体
１５０  収容箱
１７０  天井板
１７１  開口
【図１】
2010218919.tif 000003
【図２】
2010218919.tif 000004
【図３】
2010218919.tif 000005
【図４】
2010218919.tif 000006
【図５】
2010218919.tif 000007
【図６】
2010218919.tif 000008
【図７】
2010218919.tif 000009
【図８】
2010218919.tif 000010
【図９】
2010218919.tif 000011
【図１０】
2010218919.tif 000012
【図１１】
2010218919.tif 000013
【図１２】
2010218919.tif 000014
【図１３】
2010218919.tif 000015
【図１４】
2010218919.tif 000016
【図１５】
2010218919.tif 000017
【図１６】
2010218919.tif 000018